(57)【要約】      （修正有）【課題】吸収速度が早く、吸収可能量を増やしても製造コストが増加しない袋式生理用ナプキンを提供する。【解決手段】主体１０の中間部に吸収層１２があり、吸収層１２は垂れ式設計の袋式吸収袋１４につながっている。袋式吸収袋１４は、吸収綿体を有する収納空間を有し、収納空間の上方に吸入口が形成される。【選択図】図１
0003151984.tif 000002
【実用新案登録請求の範囲】
【請求項１】
長方形シートの主体（１０）と、
前記主体（１０）の中間部の吸収層（１２）と、
前記主体（１０）の吸収層（１２）につながって垂れている袋式吸収袋（１４）を有し、
前記袋式吸収袋（１４）は、収納空間（１５）を有し、前記収納空間（１５）内に吸収綿体（１６）を有し、前記収納空間（１５）の上方に吸入口（１７）が形成してある、袋式生理用ナプキン。
【請求項２】
前記袋式吸収袋（１４）の吸入口（１７）には、液体逆流を防止するための逆止め部（１８）が設けてある、請求項１に記載の袋式生理用ナプキン。
【請求項３】
前記逆止め部（１８）は、前記袋式吸収袋（１４）の吸入口（１７）の両側から、前記収納空間（１５）の向きに左右対称に伸びたストッパー（１９）を有する、請求項１に記載の袋式生理用ナプキン。
【請求項４】
前記袋式吸収袋（１４）は、二つである、請求項１に記載の袋式生理用ナプキン。
【請求項５】
前記吸収層（１２）には、少なくとも一つの浸透孔（１３）を設けてあり、前記浸透孔（１３）は、前記主体（１０）の吸収層（１２）を貫通している、請求項１に記載の袋式生理用ナプキン。
【考案の詳細な説明】
【技術分野】
【０００１】
本考案は生理用ナプキンに係り、特に袋式の生理用ナプキンに関する。  
【背景技術】
【０００２】
市販でよく見られる生理用ナプキン構造は、生理用ナプキン主体の上が漏れ防止被覆部に覆われた構造である。この漏れ防止被覆部は吸収層があり、生理の血を綿の吸収層に吸収させようにしている。
【考案の概要】
【考案が解決しようとする課題】
【０００３】
しかし、実際の使用経験によれば、この従来の構造形態は、以下のような問題点が存在する。
１．現在、市販の生理用ナプキン構造における吸収層の多くは、水平に漏れ防止被覆部のところにあるため、生理の血が吸収層まで流れてきたとき、吸収層の中心から次第その両側に吸収され、すなわち、水平に拡散される吸収方法となっている。しかし、このような方法では、経血が遅く吸収されるけれども、経血量が多い場合は、横漏れたりして、見た目も悪くなる。また、生理用ナプキンの表面が乾かなくて、病菌による感染症になりやすい。更に、経血量が多すぎて、従来の生理用ナプキンの吸収層の吸収可能量以上になった場合、使用者は常に新しい生理用ナプキンを換えなければならず、そこで、生理用ナプキンの使用量が増加するのに伴って、その購買金額も増加する。
２．生理用ナプキンの吸収可能量は、吸収層の配置寸法によるため、その吸収可能量を増えるために、製造の時、吸収層の配置寸法を増やさなければならず、製造コストが増加する。
【０００４】
従来の構造に存在する問題点について、より理想的で実用性があるオリジナルな構造を開発するのが使用者の望むことで、関係業者が努力し、研究開発、突破するべき目標と方向でもある。  
これを鑑みて、本考案者は関連製品の製造開発、設計に携わる長年の経験を持っており、上述の目標について詳しく設計、慎重に評価を行ったうえ、ようやく実用性のある本考案を得た。
【０００５】
本考案は、吸収速度が遅い、また、吸収可能量を増やそうとすると製造コストが増加するという従来の課題を解決した袋式生理用ナプキンを提供することを目的とする。
【課題を解決するための手段】
【０００６】
本考案の袋式生理用ナプキンは、長方形シートの主体（１０）と、
前記主体（１０）の中間部の吸収層（１２）と、
前記主体（１０）の吸収層（１２）につながって垂れている袋式吸収袋（１４）を有し、
前記袋式吸収袋（１４）は、収納空間（１５）を有し、前記収納空間（１５）内に吸収綿体（１６）を有し、前記収納空間（１５）の上方に吸入口（１７）が形成してある構成である。
【考案の効果】
【０００７】
本考案になる袋式生理用ナプキンは、以下の効果を有する。
１．袋式吸収袋は、垂れ式に設計されるため、経血がまず吸収層に吸収されてから、ゆっくりと吸入口から袋式吸収袋へ浸透されるようになり、また、その収納空間によって、吸収量を大幅に増やすことが出来る。
２．袋式吸収袋は、吸収層のところにあり、吸入口の配置に合わせて設けられているため、吸収層の吸収可能量を考慮に入れる必要がなくなり、吸収層の両側の配置面積も大幅に減少でき、不必要な製造コストを削減することが出来る。
【図面の簡単な説明】
【０００８】
【図１】本考案の実施例１の袋式生理用ナプキンの斜視図である。
【図２】図１の袋式生理用ナプキンをパンツと併せて示す斜視図である。
【図３】図１の袋式生理用ナプキンの一部を拡大して示す断面図である。
【図４】本考案の実施例２の一部を拡大して示す断面図である。
【図５】図１の袋式生理用ナプキンの使用時の状態を示す正面図である。
【図６】図１の袋式生理用ナプキンの使用時の状態を示す側面図である。
【考案を実施するための形態】
【０００９】
以下、本考案の実施の形態について説明する。
【００１０】
図１〜図６は、本考案の袋式生理用ナプキンの好適な実施例を示しているが、これらの実施例は説明のみに用いられるもので、本考案の袋式生理用ナプキンはそれらの構造に制限されない。
【実施例１】
【００１１】
図１は本考案の実施例１の袋式生理用ナプキンＡを示す。
【００１２】
袋式生理用ナプキンＡは、長方形シートの主体１０の中間部に吸収層１２を有する。吸収層１２には、二つの浸透孔１３を設けてある。浸透孔１３は、主体１０の片側を貫通しており、前記吸収層１２は、垂れ式設計である二つの袋式吸収袋１４とつながっている。
【００１３】
図３に示すように、各袋式吸収袋１４は、収納空間１５を有する。収納空間１５内に、吸収綿体１６（コットン）が詰めてある。吸収綿体１６は、吸収層１２の底層に到るまで詰まって存在している。
【００１４】
収納空間１５の上方には吸入口１７が形成してある。この吸入口１７の部位には、液体漏れ防止のための逆止め部１８が形成してある。この逆止め部１８は、袋式吸収袋１４の吸入口１７の両側から、別途に収納空間１５に向けて左右対称に伸びたストッパー１９を有する。
【００１５】
袋式吸収袋１４と主体１０の外側の表層は、防水層を有する。
【００１６】
図２に示すように、パンツ３０は、底層に二つの貫通孔３１を有する。
【００１７】
袋式生理用ナプキンＡは、袋式吸収袋１４を貫通孔３１に合わせ貫通孔３１より下方に通してパンツ３０と組み合わせる。袋式生理用ナプキンＡは、主体１０に粘着部（図示せず）を有し、この粘着部によってパンツ３０の底層に粘着される。
【００１８】
図５及び図６は、女性が、袋式生理用ナプキンＡが装着されたパンツ３０を身に着けたときの態様を示す。袋式生理用ナプキンＡの袋式吸収袋１４は、女性の会陰部の中央部から垂れるようになる。
【００１９】
次に、本考案の袋式生理用ナプキンＡの使用時の状況について説明する。
【００２０】
図３に示すように、女性は生理が来たとき、経血が吸収層１２へ流れると、経血はまず、吸収層１２の底層にある吸収綿体１６に吸収され、それからゆっくりと収納空間１５内に浸透され、更に、収納空間１５内にある吸収綿体１６に吸収されることになる。ここで、吸入口１７のところに逆止め部１８があるため、使用者は仕事や睡眠の時に体を大きく動かしても、逆止め部１８における斜め下向きに設けられたブロッカー１９によって、経血が吸収層１２から漏れることがなく、下着を汚したりすることが避けられる。
【００２１】
なお、袋式吸収袋１４と主体１０の吸収層１２とを、一体に成形した構成としてもよい。
【実施例２】
【００２２】
図４は本考案の実施例２の袋式生理用ナプキンの一部を拡大して示す。
【００２３】
逆止め部１８Ｂは、二組のストッパー１９Ｂ、１９Ｃを有する構成である。この構成によって、収納空間１５内の経血による漏れや浸透などへの防止が強化される。
【００２４】
説明を付け加えておきたいのは、前記袋式吸収袋１４と主体１０の吸収層１２は、一体成形に設けられてもよいものである。  
[考案の効果]
上記の本考案の実施例１、２の袋式生理用ナプキンは以下の効果を有する。
１．袋式生理用ナプキンは、生理用ナプキン主体の上には垂れ式設計の袋式吸収袋を設けて、主体の内側の吸収層にはそれに対応の吸入口を設けることによって、女性の経血が、まず吸収層の底層にある吸収綿体に吸収され、それからゆっくりと袋式吸収袋内に浸透されることになる。袋式生理用ナプキンは、収納空間によって、吸収速度が速くなり、吸収量も大幅に増えると同時に、清潔、便利で、衛生的が保たれるという使い心地がよい。
２．袋式吸収袋は、吸収層のところにあり、吸入口の配置に合わせて設けられているため、吸収層の吸収可能量を考慮に入れる必要がなくなり、吸収層の両側の配置面積も大幅に減少でき、不必要な製造コストも削減することが出来る。
【００２５】
上述の実施例は本考案を具体的に説明したものであり、文中では特定の専門用語を用いて説明しているが、本考案の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものである。
【符号の説明】
【００２６】
Ａ  袋式生理用ナプキン  
１０  主体
１２  吸収層
１３  浸透孔
１４  袋式吸収袋
１５  収納空間
１６  吸収綿体
１７  吸入口
１８、１８Ｂ  逆止め部
１９、１９Ｂ、１９Ｃ  ストッパー
【図１】
0003151984.tif 000003
【図２】
0003151984.tif 000004
【図３】
0003151984.tif 000005
【図４】
0003151984.tif 000006
【図５】
0003151984.tif 000007
【図６】
0003151984.tif 000008
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
長方形シートの主体（１０）と、
前記主体（１０）の中間部の吸収層（１２）と、
前記主体（１０）の吸収層（１２）につながって垂れている袋式吸収袋（１４）を有し、
前記袋式吸収袋（１４）は、収納空間（１５）を有し、前記収納空間（１５）内に吸収綿体（１６）を有し、前記収納空間（１５）の上方に吸入口（１７）が形成してある、袋式生理用ナプキン。
【請求項２】
前記袋式吸収袋（１４）の吸入口（１７）には、液体逆流を防止するための逆止め部（１８）が設けてある、請求項１に記載の袋式生理用ナプキン。
【請求項３】
前記逆止め部（１８）は、前記袋式吸収袋（１４）の吸入口（１７）の両側から、前記収納空間（１５）の向きに左右対称に伸びたストッパー（１９）を有する、請求項２に記載の袋式生理用ナプキン。
【請求項４】
前記袋式吸収袋（１４）は、二つである、請求項１に記載の袋式生理用ナプキン。
【請求項５】
前記吸収層（１２）には、少なくとも一つの浸透孔（１３）を設けてあり、前記浸透孔（１３）は、前記主体（１０）の吸収層（１２）を貫通している、請求項１に記載の袋式生理用ナプキン。